(57)【要約】      （修正有）【課題】対象物に付着していた異物が除去された後、再付着するのを可及的に防ぐことができる異物飛散防止用シートを提供する。【解決手段】異物飛散防止用シート７は、一部に欠損部１１が設けられていると共に透明であって可撓性を有する扇形のシート本体１０と、シート本体の一面側に設けられている粘着層と、粘着層を覆うと共に粘着層から剥離可能であるセパレータとを備えている。セパレータを剥がし、シート本体を円すい形とするように丸め、両側を部分的に重ねることで一部が開口した円すい状のカバーが構成される。【選択図】図１
0003208193.tif 000002
【実用新案登録請求の範囲】
【請求項１】
一部に欠損部が設けられていると共に透明であって可撓性を有する扇形のシート本体と、
前記シート本体の一面側に設けられている粘着層と、
前記粘着層を覆うと共に当該粘着層から剥離可能であるセパレータと、
を備えている、異物飛散防止用シート。
【請求項２】
前記欠損部は、扇形の前記シート本体の中心側に設けられている切り欠きである、請求項１に記載の異物飛散防止用シート。
【請求項３】
前記シート本体の一方側の重ね部分に半径方向に沿った直線が設けられている、請求項１又は２に記載の異物飛散防止用シート。
【請求項４】
前記シート本体において、一方側の重ね部分にスリットが形成されており、かつ、他方側の重ね部分に前記スリットに係合する爪部が形成されている、請求項１又は２に記載の異物飛散防止用シート。
【請求項５】
前記セパレータは樹脂製である、請求項１〜４のいずれか一項に記載の異物飛散防止用シート。
【請求項６】
対象物に被せることで当該対象物を内側に収容した状態として用いる異物飛散防止カバーであって、
透明のシートによって構成され前記対象物を内側に収容可能とするカバー本体と、
前記カバー本体の内側面に設けられている粘着層と、
前記粘着層を覆うと共に当該粘着層から剥離可能であるセパレータと、
を有し、
前記カバー本体の一部に開口が形成されている、異物飛散防止カバー。
【考案の詳細な説明】
【技術分野】
【０００１】
例えば精密部品等の対象物に付着している異物をエアブローによって清掃する際に用いられ、エアブローによって飛散した異物を捕捉して対象物に異物が再付着するのを防ぐ異物飛散防止カバー、及び、このカバーを構成するための異物飛散防止用シートに関する。
【背景技術】
【０００２】
従来、クリーンルームやクリーンブース等の清浄環境維持装置によって、清浄環境空間を維持し、この空間において例えば精密部品、電子基板又はレンズ等を扱うことがあり、これらに付着している異物を例えば綿棒やウエスによって除去することが行われている。また、このような清浄環境空間の一部に排気ダクトが配置されるのが一般的であるが、この排気ダクトと共に粘着シートを壁等に貼り付け、浮遊する異物を粘着シートにより捕捉することが行われている（例えば、特許文献１参照）。
【先行技術文献】
【特許文献】
【０００３】
【特許文献１】特開２０１５−１１１０３１号公報
【考案の概要】
【考案が解決しようとする課題】
【０００４】
しかし、前記のような精密部品等の対象物から除去した異物が清浄環境空間を浮遊し、排気ダクトから排出されたり粘着シートにより捕捉されたりすれば良いが、除去したはずの異物（一部）が対象部に再付着することも考えられる。
【０００５】
そこで、対象物に付着していた異物が除去された後、再付着するのを可及的に防ぐことが可能となる異物飛散防止用シート及び異物飛散防止カバーを提供することを目的とする。
【課題を解決するための手段】
【０００６】
異物飛散防止用シートは、一部に欠損部が設けられていると共に透明であって可撓性を有する扇形のシート本体と、前記シート本体の一面側に設けられている粘着層と、前記粘着層を覆うと共に当該粘着層から剥離可能であるセパレータと、を備えている。
【０００７】
この異物飛散防止用シートによれば、セパレータを粘着層から剥がし、粘着層が内側面を構成するように、扇形であるシート本体を、円すい形とするように丸め、両側を部分的に重ねることで、シート本体が壁となってその一部が開口した円すい状のカバーが構成される。このカバーを、対象物に被せることで、この対象物を内側に収容した状態とすることができる。
そして、前記開口からノズルを挿入し、例えばノズルからエアブローを行うことで、対象物に付着している異物を吹き飛ばすことができ、カバーの内側で飛散した異物は粘着層によって捕捉され、異物が対象物に再付着するのを防ぐことができる。
シート本体によって構成されるカバーは透明となるため、対象物を外部から目視して清掃等の作業を行うことが可能である。
シート本体は、平面状であり薄いことから、シート本体を重ねて保管、搬送することができ、また、廃棄する場合においても嵩張らない。
【０００８】
また、前記欠損部は、シート本体に開けられた穴であってもよいが、前記欠損部は、扇形の前記シート本体の中心側に設けられている切り欠きであるのが好ましく、この場合、頂部が開口した円すい状のカバーが構成される。
【０００９】
また、扇形であるシート本体を、円すい形とするように丸め、両側を部分的に重ねた際に、前記粘着層の粘着力によって一方側の重ね部分と他方側の重ね部分とを固定し、円すい状のカバーを構成することが可能となるが、この重ね合わせのために、前記シート本体の一方側の重ね部分に半径方向に沿った直線が設けられているのが好ましい。これは、シート本体の他方側の重ね部分が前記直線に沿うようにして、扇形であるシート本体を両側において部分的に重ねることで、所望の円すい状を有するカバーが構成される。
【００１０】
また、前記のように粘着層の粘着力によって一方側の重ね部分と他方側の重ね部分とを固定し、円すい状のカバーを構成してもよいが、これ以外として、前記シート本体において、一方側の重ね部分にスリットが形成されており、かつ、他方側の重ね部分に前記スリットに係合する爪部が形成されていてもよい。この場合、爪部をスリットに係合することで、円すい状のカバーが構成される。
【００１１】
前記セパレータが紙製である場合、このセパレータを粘着層から剥がした場合に、紙粉が生じ、紙粉が対象物に付着する可能性がある。そこで、前記セパレータは樹脂製であるのが好ましい。
【００１２】
また、異物飛散防止カバーは、対象物に被せることで当該対象物を内側に収容した状態として用いる異物飛散防止カバーであって、透明のシートによって構成され前記対象物を内側に収容可能とするカバー本体と、前記カバー本体の内側面に設けられている粘着層と、前記粘着層を覆うと共に当該粘着層から剥離可能であるセパレータと、を有し、前記カバー本体の一部に開口が形成されている。
この異物飛散防止カバーの場合、セパレータを剥がし、カバーを対象物に被せることで、この対象物を内側に収容した状態とすることができる。そして、開口からノズルを挿入し、例えばノズルからエアブローを行うことで、対象物に付着している異物を吹き飛ばすことができる。そして、カバーの内側で飛散した異物は粘着層によって捕捉され、異物が対象物に再付着するのを防ぐことができる。
【考案の効果】
【００１３】
カバーの内側で飛散した異物は粘着層によって捕捉され、異物が対象物に再付着するのを防ぐことができる。
【図面の簡単な説明】
【００１４】
【図１】異物飛散防止用シートの平面図である。
【図２】異物飛散防止用シートの拡大断面図である。
【図３】異物飛散防止カバーの斜視図である。
【図４】異物飛散防止用シートの変形例である。
【考案を実施するための形態】
【００１５】
図１は、異物飛散防止用シート７の平面図である。図２は、図１に示す異物飛散防止用シート７の拡大断面図である。異物飛散防止用シート７は、扇形（中心角が１８０度を超える扇形）である薄いシート本体１０と、このシート本体１０の一面１２側に設けられている粘着層２０と、この粘着層２０を覆うセパレータ３０とを備え、積層構造を有している。
【００１６】
シート本体１０は、平面状の薄い部材であり、その厚さは例えば１００〜１５０マイクロメートルである。シート本体１０は、全体として扇形であるが、その一部に欠損部１１が設けられている。本実施形態の欠損部１１は、扇形であるシート本体１０の中心側に設けられている円形状（扇形）の切り欠きである。また、シート本体１０は、透明であって可撓性を有している。シート本体１０は、例えばポリエチレンテレフタレート（ＰＥＴ）等の樹脂フィルムからなる。シート本体１０は、可視光に対して透明であればよく、無色透明とするのが好ましいが、有色透明であってもよい。
【００１７】
粘着層２０は、シート本体１０の一面１２側の全面にわたって設けられている。シート本体１０に例えばアクリル系粘着剤を塗布することで、この粘着剤により粘着層２０が形成される。なお、粘着剤は、他のものであってもよい。粘着層２０の厚さは５マイクロメートル程度である。
【００１８】
セパレータ３０は、粘着層２０を覆うと共にこの粘着層２０から剥離可能であるシートである。本実施形態では、セパレータ３０は樹脂製（樹脂製のセパレータフィルム）である。セパレータ３０もシート本体１０と同様に薄い部材である。セパレータ３０はシート本体１０と同じ輪郭形状を有しており、粘着層２０の全面を覆っている。
【００１９】
この異物飛散防止用シート７によれば、セパレータ３０を粘着層２０から剥がし、粘着層２０が内側面を構成するように、扇形であるシート本体１０を、円すい形とするように丸め、両側を部分的に重ねることで、図３に示すように、シート本体１０が壁となってその一部が開口（１５）した円すい状のカバー５が構成される。本実施形態では、シート本体１０の一方側の重ね部分１８の内側に、他方側の重ね部分１９を重ねることで、一方側の重ね部分１８の内側の粘着層２０によって他方側の重ね部分１９を固定することができる。また、前記のとおり（図１参照）シート本体１０の欠損部１１は、扇形であるシート本体１０の中心側に設けられている切り欠きであるため、図３に示すように、頂部が開口（１５）した円すい状のカバー５が構成される。
【００２０】
そして、このカバー５を、作業台等の上に置かれた対象物３に被せることで、この対象物３を内側に収容した状態とすることができる。すなわち、前記異物飛散防止用シート７によって構成されるカバー５は、対象物３に被せることでこの対象物３を内側に収容した状態として用いる異物飛散防止カバーとなる。このカバー５は、透明の薄いシート（シート本体１０）によって構成されており対象物３を内側に収容可能とするカバー本体９と、このカバー本体９の内側面１３に設けられている粘着層２０とを有した構成となる。そして、このカバー本体９の一部（頂部）に、例えばノズル５５を挿入可能させる開口１５が形成されている。なお、このカバー５は、使用前（組み立て前）の状態では、粘着層２０を覆うと共にこの粘着層２０から剥離可能であるセパレータ３０を有しており、使用の際（組み立ての際）、前記のとおり、このセパレータ３０は粘着層２０から剥がされる。
【００２１】
このように、前記異物飛散防止用シート７によって構成されるカバー（異物飛散防止カバー）５によれば、セパレータ３０が剥され、カバー５を対象物３に被せることで、この対象物３を内側に収容した状態とすることができる。そして、開口１５からノズル５５を挿入し、このノズル５５からエアブローを行うことで、対象物３に付着している異物（ダスト）を吹き飛ばすことができる。粘着層２０は、対象物３を覆っているカバー本体９の内側面１３の全面に存在しており、カバー５の内側で飛散した異物はこの粘着層２０によって捕捉され、異物が対象物３に再付着するのを防ぐことができる。また、カバー５は透明となるため、対象物３を外部から目視して清掃等の作業を行うことが可能である。
【００２２】
このカバー５は、様々な対象物３に対して適用可能であり、対象物３として、例えば、精密部品、電子基板、成形品、又は、レンズ等がある。様々な大きさのシート７があり、対象物３の大きさに応じて使い分けられる。
また、対象物３に付着している異物としては、ホコリ、成形カス、金属粉、塗膜屑等が挙げられる。
【００２３】
また、作業台の上に、図示しないが粘着シートを設け、この粘着シートの上に対象物３を載せ、この対象物３をカバー５で覆ってもよい。これにより、特に対象物３が軽量のものである場合、その対象物３はエアブローに抗することができる。また、カバー５を作業者が手で押さえて使うのが好ましい。
【００２４】
カバー５は、使い捨てとすることができる。この際、カバー５の内側面１３同士を合わせ面として粘着層２０により接着することで、円すい状であったカバー５を平坦状とするのが好ましく、これにより、粘着層２０に捕捉した異物が飛び散らずに廃棄することができ、また、嵩高くならない。又は、シート本体１０の一方側の重ね部分１８と他方側の重ね部分１９とを剥がし、平面状のシート７としてもよく、これにより、嵩高くならない。また、カバー５を使い捨てとすることで、衛生的である。
前記のとおり、作業者が使用する際に、平面状である薄いシート本体１０を、円すい状に丸めてカバー５を構成することができる。つまり、使用前において、シート本体１０は平面状であり薄いことから、シート本体１０を多数重ねて保管、搬送することができ、この場合においても、嵩高くならない。
【００２５】
シート本体１０は（図２参照）、粘着層２０が設けられている一面１２側と反対である他面１４側に、帯電防止コーティングが付されているのが好ましい。これは、特に対象物３を電子機器とする場合に好適である。電子機器は電気を嫌うことから、シート本体１０に帯電防止コーティングが付されていることで、シート７が静電気を帯びにくくしている。
【００２６】
セパレータ３０は紙製であってもよいが、紙製である場合、このセパレータ３０を粘着層２０から剥がした場合に、紙粉が生じ、紙粉が対象物３に付着する可能性がある。そこで、本実施形態では、前記のとおり、セパレータ３０を樹脂製としている。
【００２７】
また、前記のとおり、扇形であるシート本体１０を、円すい形とするように丸め、両側を部分的に重ねた際に、粘着層２０の粘着力によって一方側の重ね部分１８と他方側の重ね部分１９とを固定し、円すい状のカバー５を構成することが可能となるが、この重ね合わせのために、図１に示すように、シート本体１０の一方側の重ね部分１８に、半径方向に沿った直線４０が設けられているのが好ましい。これにより、シート本体１０の他方側の重ね部分１９の端縁１９ａが直線４０に沿うようにして、扇形であるシート本体１０を両側において部分的に重ねることで、所望の円すい状を有するカバー５が構成される。つまり、重ね代を前記直線４０によって定義することができ、簡単に同じ円すい形状のカバー５を得ることが可能となる。直線４０は、シート本体１０に印刷することで設けられる。また、シート本体１０には、その他、文字や型番等の情報を印刷してもよい。
【００２８】
図１に示す形態の場合で説明したように、粘着層２０の粘着力によってシート本体１０の一方側の重ね部分１８と他方側の重ね部分１９とを固定し、円すい状のカバー５を構成しているが、重ね部分１８，１９の固定は、これ以外であってもよく、例えば、図４に示す構成とすることができる。すなわち、シート本体１０において、一方側の重ね部分１８にスリット（表裏貫通した長孔）５１が形成されており、かつ、他方側の重ね部分１９にスリット５１に係合する爪部５２が形成されている。この場合、爪部５２をスリット５１に係合することで、重ね部分１８，１９が固定され、円すい状のカバー５が構成される。
なお、図４に示すシート７は、図１に示すシート７と比較して、重ね部分１８，１９の形態が異なるが、その他については同じである。
【００２９】
以上のとおり開示した実施形態はすべての点で例示であって制限的なものではない。つまり、異物飛散防止カバー５及び異物飛散防止用シート７は、図示する形態に限らず本考案の範囲内において他の形態のものであってもよい。シート本体１０、粘着層２０、セパレータ３０の材質は、他のものであってもよい。
【符号の説明】
【００３０】
３：対象物            ５：異物飛散防止カバー        ７：異物飛散防止用シート
９：カバー本体        １０：シート本体              １１：欠損部
１２：一面            １３：内側面                  １５：開口
１８：一方側の重ね部分                            １９：他方側の重ね部分
２０：粘着層          ３０：セパレータ              ４０：直線
５１：スリット        ５２：爪部
【図１】
0003208193.tif 000003
【図２】
0003208193.tif 000004
【図３】
0003208193.tif 000005
【図４】
0003208193.tif 000006